(57)【要約】【課題】  スポットの集合の照射中における異常発生時のビーム出射処理（中断、再開）を適切に行うことにより、照射精度を上げて、安全かつ効率的に照射する。【解決手段】  シンクロトロン１２と、走査電磁石５Ａ，５Ｂを有し、シンクロトロン１２から出射されたイオンビームを走査するスキャニング照射装置１５と、シンクロトロン１２からのイオンビームの出射をビーム出射停止指令に基づいて停止させ、この状態で走査電磁石５Ａ，５Ｂを制御することによりイオンビームの照射位置（スポット）を変更させ、この変更後にシンクロトロン１２からのイオンビームの出射を開始させる。ある照射スポットへのビームの照射中に、照射継続可能な比較的軽度な異常が発生した場合に、直ちにビーム出射を停止せず、その照射スポットを含む予め定義されたスポットの集合に属する全スポットについての照射を完了させた時点でビーム出射を停止する。【選択図】図１
2011072537.tif 000002
【特許請求の範囲】
【請求項１】
荷電粒子ビームを出射する加速器と、
荷電粒子ビーム走査装置を有し、前記加速器から出射された荷電粒子ビームを照射対象の照射スポットに照射する照射装置と、
前記照射スポットへの荷電粒子ビームの照射中に、照射を中断しなければならない事象が発生した場合に、前記加速器からの前記荷電粒子ビームの出射を直ちに停止させずに、そのときの照射スポットを含む予め定義されたスポットの集合に属する全スポットについての照射を完了させた時点で前記加速器からの前記荷電粒子ビームの出射を停止させる制御装置とを備えることを特徴とする粒子線照射システム。
【請求項２】
請求項１記載の粒子線照射システムにおいて、
前記制御装置は、前記荷電粒子ビームの出射停止後、前記照射を中断しなければならない事象が解消した場合は、直ちに前記照射スポットを変更させ、かつ前記加速器からの前記荷電粒子ビームの出射を次のスポットの集合の先頭の照射スポットから再開させることを特徴とする粒子線照射システム。
【請求項３】
荷電粒子ビームを出射する加速器と、
荷電粒子ビーム走査装置を有し、前記加速器から出射された荷電粒子ビームを照射対象の照射スポットに照射する照射装置と、
前記照射スポットへの照射量が目標照射量に達したとき、前記加速器からの前記荷電粒子ビームの出射を停止させ、この荷電粒子ビームの出力を停止した状態で、前記荷電粒子ビーム走査装置を制御することにより前記照射スポットを次のスポットへ変更させ、この照射スポットの変更後に前記加速器からの荷電粒子ビームの出力を開始させる第１制御装置と、
前記照射スポットへの荷電粒子ビームの照射中に、照射を中断しなければならない事象が発生した場合に、前記照射スポットへの照射量が目標照射量に達するまで前記第１制御装置の制御を継続し、前記照射スポットへの照射量が目標照射量に達すると前記第１制御装置の次のスポットへの制御を継続し、これらの照射スポットを含む予め定義されたスポットの集合に属する全スポットについての照射を完了させた時点で前記第１制御装置の制御を中断しかつ前記加速器からの前記荷電粒子ビームの出射を停止させる第２制御装置とを備えることを特徴とする粒子線照射システム。
【請求項４】
請求項３記載の粒子線照射システムにおいて、
前記第２制御装置は、前記荷電粒子ビームの出射停止後、前記照射を中断しなければならない事象が解消した場合、前記第１制御装置の制御を復帰させ、
前記第１制御手段は、復帰後に、直ちに前記荷電粒子ビーム走査装置を制御することにより前記照射スポットを変更させかつこの変更後に前記加速器からの前記荷電粒子ビームの出射を次のスポットの集合の先頭の照射スポットから再開させることを特徴とする粒子線照射システム。
【請求項５】
荷電粒子ビームを出射する加速器と、荷電粒子ビーム走査装置を有し、前記加速器から出射された荷電粒子ビームを照射対象の照射スポットに照射する照射装置とを備えた粒子線照射システムの制御方法において、
前記照射スポットへの荷電粒子ビームの照射中に、照射を中断しなければならない事象が発生した場合に、前記加速器からの前記荷電粒子ビームの出射を直ちに停止させずに、そのときの照射スポットを含む予め定義されたスポットの集合に属する全スポットについての照射を完了させた時点で前記加速器からの前記荷電粒子ビームの出射を停止させることを特徴とする粒子線照射システムの制御方法。
【請求項６】
請求項５記載の粒子線照射システムの制御方法において、
前記荷電粒子ビームの出射停止後、前記照射を中断しなければならない事象が解消した場合は、直ちに前記照射スポットを変更させ、かつ前記加速器からの前記荷電粒子ビームの出射を次のスポットの集合の先頭の照射スポットから再開させることを特徴とする粒子線照射システムの制御方法。
【請求項７】
荷電粒子ビームを出射する加速器と、荷電粒子ビーム走査装置を有し、前記加速器から出射された荷電粒子ビームを照射対象の照射スポットに照射する照射装置とを備えた粒子線照射システムの制御方法において、
前記照射スポットへの照射量が目標照射量に達したとき、前記加速器からの前記荷電粒子ビームの出射を停止させ、この荷電粒子ビームの出力を停止した状態で、前記荷電粒子ビーム走査装置を制御することにより前記照射スポットを次のスポットへ変更させ、この照射スポットの変更後に前記加速器からの荷電粒子ビームの出力を開始させる第１手順と、
前記照射スポットへの荷電粒子ビームの照射中に、照射を中断しなければならない事象が発生した場合に、前記照射スポットへの照射量が目標照射量に達するまで前記第１手順の制御を継続し、前記照射スポットへの照射量が目標照射量に達すると次のスポットにおいて前記第１手順の制御を継続し、これらの照射スポットを含む予め定義されたスポットの集合の属する全スポットについての照射を完了させた時点で前記第１手順の制御を中断しかつ前記加速器からの前記荷電粒子ビームの出射を停止させる第２手順とを備えることを特徴とする粒子線照射システムの制御方法。
【請求項８】
請求項７記載の粒子線照射システムにおいて、
前記第２手順は、前記荷電粒子ビームの出射停止後、前記照射を中断しなければならない事象が解消した場合、前記第１手順の制御を復帰させ、
前記第１手順は、復帰後に、直ちに前記荷電粒子ビーム走査装置を制御することにより前記照射スポットを変更させかつこの変更後に前記加速器からの前記荷電粒子ビームの出射を次のスポットの集合の先頭の照射スポットから再開させることを特徴とする粒子線照射システムの制御方法。
【発明の詳細な説明】
【技術分野】
【０００１】
本発明は粒子線照射システムおよびその制御方法に係り、特に、陽子および炭素イオン等の荷電粒子ビームを患部に照射して治療する粒子線照射システムおよびその制御方法に関する。
【背景技術】
【０００２】
がん等の患者の患部に陽子および炭素イオン等のいずれかの荷電粒子ビーム（イオンビーム）を照射する治療方法が知られている。この治療に用いる粒子線照射システムは、荷電粒子ビーム発生装置，ビーム輸送系、および照射装置を備えている。
【０００３】
照射装置の照射方式としては、散乱体によってビームを広げた後に患部形状に合わせて切り出す散乱体方式や、細かいビームを患部領域内に走査させるスキャニング方式が知られている。
【０００４】
スキャニング方式を用いた粒子線照射システムにおいて、荷電粒子ビーム発生装置の加速器で加速された荷電粒子ビームは、ビーム輸送系を経て照射装置に達し、照射装置に備えられた走査用電磁石で走査された後、照射装置から患者の患部に照射される。
【０００５】
この方式では、照射対象への積算照射量に対応して、荷電粒子ビームの出力を停止させ、荷電粒子ビームの出力を停止した状態で、エネルギーおよび、走査電磁石を制御することにより荷電粒子ビームの照射位置(スポット)を変更し、この変更完了後に前記出射装置からの荷電粒子ビームの出力を再開させることで、順次、照射位置を切替えながら照射対象（患部）に対して照射が行われる（例えば、特許文献１参照）。
【０００６】
特許文献１記載の粒子線治療システムにおいて、健全な細胞への被爆を極力防止し過不足ない正しい照射治療を行うために、照射装置には、電磁石の下流側でかつ照射対象である患者の直前に、照射位置への荷電粒子ビームの照射量を計測する照射量検出装置として、ビーム位置モニタおよび照射線量モニタが設置されている。
【０００７】
ビーム位置モニタは、一般に、ビームの通過によって電離した電荷量をコンデンサに蓄積し、スポット照射後にコンデンサに誘起された電圧を読み出す方式であることが多く、コンデンサの容量は、想定される照射線量の中で最も値の多いスポットでの電離電荷量を許容できるよう決められる。また、上記方式での分解能は、コンデンサの容量が小さいほど分解能が高くなり、大きくなるほど分解能が低くなる。
【０００８】
スキャニング方式の粒子線照射システムにおいては、照射対象をいくつかのスポット（照射位置）に分割することや、分割照射をするための照射回数と１回当たりの照射量を事前に設定し、１つのスポットに対する照射を複数回に分割して行うことで、各スポットに対する１回の照射量（照射時間）を小さくし、ばらつきを抑え、より正確に実際の照射線量の検出および評価（線量分布等の評価）を行うことができるよう工夫がされている。
【０００９】
一方で、粒子線照射システムにおける全体の制御システムは、設備および構成機器の異常や加速器内のビーム状態等を監視し、発生した要因の種類やそのレベルにより、あるスポットへの照射途中であっても、照射を中止または中断するためのインターロックを設けている。また、手動操作（ボタン操作等）により中断または、中止操作を行うことが可能である。
【００１０】
また、粒子線照射システムには呼吸同期制御が適用されることもある。呼吸同期制御とは、患者の呼吸に同期して照射を中断、再開させるものであり、患者の呼吸に同期した呼吸ゲート信号（この信号がONのとき、ビームを照射する）に応じて、ビーム照射を開始、停止する。
【００１１】
従って、あるスポットに対する照射中に、異常発生により、または呼吸ゲートがOFFとなり、照射が途中で中止・中断された場合、発生タイミングによっては、そのスポットに対する照射量（照射時間）は、予定量に対し、微小な値となることが考えられ、上述した位置モニタの特質や、バックグラウンドノイズ等の影響も考慮すると、照射位置を正確に検出することは困難となり、その結果、照射線量モニタを含めた照射位置検出装置として、その照射位置での実照射量の正確な検出が困難となり、その評価（線量分布等の評価）を正確に行うことも困難となる。また、この場合、異常発生により、１つのスポットに対する照射が予定照射量よりも少ない量で複数回に分割して行われることとなり、そのスポットに対する実照射量の正確な検出・評価がさらに困難となるだけでなく、システム全体を考えた場合に、システムの効率的な運転を妨げる一因となる。
【００１２】
この課題に対し、特許文献２記載の粒子線治療システムは、あるスポットに対する照射中に、（照射継続可能な）比較的軽度な異常が発生した場合に、荷電粒子ビームの出射（照射）を直ちに停止させず、そのスポットに対する照射線量が目標線量値に達するのを待ってから停止させる。
【００１３】
これにより、あるスポット対する照射中に異常が発生した場合でも、そのスポットに対する照射を継続するため、１つのスポットに対する照射を途中の段階で２回以上の複数回に分割することなく、確実に１回の照射で行うことが可能で、予定照射量（照射時間）に対し、実照射量が微小になることがなく、通常のスポット照射時と同等に、正確な実照射線量の検出および評価（線量分布等の評価）を行うことができる。
【先行技術文献】
【特許文献】
【００１４】
【特許文献１】特許３６８１７４４号公報
【特許文献２】特許公開２００８−２３７６８７号公報
【発明の開示】
【発明が解決しようとする課題】
【００１５】
しかし、特許文献２記載の従来技術には、次のような課題がある。照射線量の分布は、１つのスポットの線量だけでなく、あるスポットの集合について評価するものであり、スポットの集合として管理したほうがよい場合もある。同じエネルギーに属する等のあるまとまったスポットの集合に対する照射中に、異常発生により、または、呼吸ゲートがOFFとなり、照射が途中で中止・中断された場合、発生タイミングによっては、そのスポットの集合での照射線量の分布が結果的に、分割されることにより、照射中断時の照射スポット位置と、照射中断再開時の照射スポット位置が、必ずしも一致する保証がなく、照射の予測できない隙間、重なりが発生し、あるスポットの集合について所望の照射線量分布が得られないことが考えられる。
【００１６】
本発明の目的は、スポットの集合の照射中における異常発生時のビーム出射処理（中断、再開）を適切に行うことにより、照射精度を上げて、安全かつ効率的に照射することができる粒子線照システムおよびその制御方法を提供することである。
【課題を解決するための手段】
【００１７】
上述した目的を達成するための本発明の特徴は、あるスポットに対する照射中に、（照射継続可能な）比較的軽度な異常が発生した場合や、呼吸同期ゲートがOFFになった場合に、荷電粒子ビームの出射（照射）を直ちに停止させず、そのスポットを含むスポットの集合に属する全スポットについて予定の照射を完了させてから、照射を中断ないし停止させることにある。
【００１８】
これにより、あるスポット対する照射中に異常が発生した場合でも、または、呼吸同期ゲートがOFFになっても、そのスポットの集合に対する照射を継続するため、あるスポットの集合に対する照射を途中の段階で２回以上の複数回に分割することなく、確実に１回の照射で行うことが可能で、スポットの集合全体の線量分布に隙間、重複することない。
【００１９】
ただし、本発明は、異常発生時においても、発生した要因の種類、レベルにより、照射継続を可能とするものであり、患者ならびに操作者の安全の観点から、照射継続可能な要因の種類、レベルの選定が非常に重要となる。
【発明の効果】
【００２０】
本発明によれば、あるスポットへの照射中に比較的軽度な異常が発生した場合や、または、呼吸同期ゲートがOFFになった場合でも、そのスポットの集合に対する照射を継続するため、あるスポットの集合に対する照射を２回以上の複数回に分割することなく、確実に１回の照射で行うことで、照射線量分布制御をより正確に行うことが可能である。
【００２１】
また、１つのあるまとまったスポットの集合に対する照射が、途中の段階で複数回に分割されることを抑制することは、治療時間の短縮等につながり、システムの効率的な運用の面においても有効である。
【図面の簡単な説明】
【００２２】
【図１】本発明の粒子線照射システムの一実施の形態である陽子線照射システムの全体構成を示す概念図である。
【図２】本発明の粒子線照射システムの一実施の形態である陽子線照射システムのスキャニング照射装置の詳細を表す概念図である。
【図３】患部領域における線量分布の一様性を確保するために各層で照射する線量分布の一例を表す概念図である。
【図４】図１に示した粒子線照射システムの照射対象である患部領域の層分けの一例を表す図である。
【図５】図１に示した治療計画装置で計画した治療計画情報の一部であって、照射時における各層のスキャニング照射を実施する指令信号の内容を示す図である。
【図６】通常照射において、図１に示した制御システム（中央処理装置、スキャニングコントローラ、加速器コントローラ）が実行する制御フローの一例を示したものである。
【図７】従来システムにおいて、スポット照射中に照射中断要因が発生した場合に制御システム（中央処理装置、スキャニングコントローラ、加速器コントローラ）が実行する制御フローの一例を示したものである。
【図８】本実施の形態において、スポット照射中に照射中断要因が発生した場合に、図１に示した制御システム（中央処理装置、スキャニングコントローラ、加速器コントローラ）が実行する制御フローの一例を示したものである。
【図９】従来システムにおけるイオンビームの制御パターンと各スポットへの照射の関係の一例を示すタイムチャートである。
【図１０】本実施の形態におけるイオンビームの制御パターンと各スポットへの照射の関係の一例を示すタイムチャートである。
【図１１】あるスポットの集合に対する照射の途中で、中断、再開した場合の位置ズレによる線量分布の影響を示したものである。
【図１２】第１実施例におけるスポットの集合を説明する図である。
【図１３】第３実施例におけるスポットの集合を説明する図である。
【発明を実施するための形態】
【００２３】
本発明の実施の形態である粒子線照射システムについて、図面を用いて詳細に説明する。
【００２４】
図１は、本実施の形態の粒子線照射システムである陽子線照射システムの概略図であり、図２は、本実施の形態の粒子線照射システムを構成するスキャニング照射装置の概略図である。
【００２５】
図１において、粒子線治療システムは、治療室内の治療ベッドに固定された患者の患部に荷電粒子ビーム（例えば陽子線）を照射して治療を施すものであり、荷電粒子ビーム発生装置１と、荷電粒子ビーム発生装置１の下流側に接続されたビーム輸送系４と、この輸送系４に接続され、荷電粒子を患者の患部に照射するスキャニング照射装置１５と、これら荷電粒子ビーム発生装置、ビーム輸送系、およびスキャニング照射装置１５を治療計画に基づいて制御する制御システム９０を備えている。
【００２６】
荷電粒子ビーム発生装置１は、イオン源（図示せず）、前段荷電粒子ビーム発生装置（ライナック）１１およびシンクロトロン（加速器）１２を有する。シンクロトロン１２は、高周波印加装置９および加速装置１０を有する。高周波印加装置９は、シンクロトロン１２の周回軌道に配置された高周波印加電極９３と高周波電源９１とを開閉スイッチ９２にて接続して構成される。
【００２７】
加速装置（荷電粒子ビームエネルギー変更装置）１０は、その周回軌道に配置された高周波加速空胴（図示せず）、および高周波加速空胴に高周波電力を印加する高周波電源（図示せず）を備える。
【００２８】
イオン源で発生したイオン（例えば、陽子イオン（または炭素イオン））は前段荷電粒子ビーム発生装置１１（例えば直線荷電粒子ビーム発生装置）で加速される。
【００２９】
前段荷電粒子ビーム発生装置１１から出射されたイオンビーム（陽子ビーム）はシンクロトロン１２に入射される。
【００３０】
荷電粒子ビーム（粒子線）であるそのイオンビームは、シンクロトロン１２で、高周波電源から高周波加速空胴を経てイオンビームに印加される高周波電力によってエネルギーを与えられて加速される。
【００３１】
シンクロトロン１２内を周回するイオンビームのエネルギーが設定されたエネルギー（例えば１００〜２００ＭｅＶ）までに高められた後、高周波電源９１からの出射用の高周波が、閉じられた開閉スイッチ９２を経て高周波印加電極９３に達し、高周波印加電極９３よりイオンビームに印加される。
【００３２】
安定限界内で周回しているイオンビームは、この高周波の印加によって安定限界外に移行し、出射用デフレクタ８を通ってシンクロトロン１２から出射される。イオンビームの出射の際には、シンクロトロン１２に設けられた四極電磁石１３および偏向電磁石１４に導かれる電流が電流設定値に保持され、安定限界もほぼ一定に保持されている。
【００３３】
開閉スイッチ９２を開いて高周波印加電極９３への高周波電力の印加を停止することによって、シンクロトロン１２からのイオンビームの出射が停止される。
【００３４】
シンクロトロン１２から出射されたイオンビームは、ビーム輸送系４より下流側へ輸送される。ビーム輸送系４は、四極電磁石１８および偏向電磁石１７と、治療室内に配置されたスキャニング照射装置１５に連絡されるビーム経路６２にビーム進行方向上流側より配置された四極電磁石２１、四極電磁石２２、偏向電磁石２３、偏向電磁石２４とを備える。ビーム輸送系４へ導入されたイオンビームは、ビーム経路６２を通ってスキャニング照射装置１５へと輸送される。
【００３５】
治療室の内部には回転ガントリー（図示せず）が設置され、スキャニング照射装置１５は、ビーム輸送系の一部とともに、この回転ガントリー（図示せず）の略筒状の回転胴（図示せず）に設置されている。回転胴はモータ（図示せず）により回転可能であり、回転胴内には治療ゲージ（図示せず）が形成される。
【００３６】
スキャニング照射装置１５のケーシング（図示せず）内には、ビーム進行方向（図1および図２中下方向、図２中Ｚ方向）上流側から、ビームの入射位置を検出する入射位置モニタ（図示せず）、ビームを走査するための走査電磁石５Ａ，５Ｂ、およびビーム走査位置を検出するビーム位置モニタ６Ａ、ビーム走査位置での照射線量を検出する線量モニタ６Ｂ等が設置される。
【００３７】
走査電磁石５Ａ，５Ｂは、例えばビーム軸と垂直な平面上において互いに直交する方向（Ｘ方向，Ｙ方向）にビームを偏向し照射位置をＸ方向およびＹ方向に動かすためのものである。
【００３８】
図２に示すように、これらの走査電磁石５Ａ，５Ｂは、走査電磁石電源７Ａ，７Ｂに接続されており、この走査電磁石電源７Ａ，７Ｂから走査電磁石５Ａ，５Ｂへの供給電流を制御する電源制御装置４２が設けられている。電源制御装置４２は、スキャニング照射制御装置４１からの制御信号に応じて走査電磁石５Ａ，５Ｂへの供給電流を制御し、走査電磁石５Ａ，５Ｂの励磁磁場をそれぞれ制御する。このように制御された走査電磁石５Ａ，５Ｂの励磁磁場により、それぞれ荷電粒子ビームを偏向するようになっている。
【００３９】
ビーム位置モニタ６Ａは、走査電磁石５Ａ，５Ｂによるビーム走査位置が制御位置（設定値）にあるかどうかを検出するものであり、その検出信号が走査位置計測装置１１Ａに出力されてビーム走査位置が演算され、その演算データがスキャニング照射制御装置４１に出力されるようになっている。
【００４０】
線量モニタ６Ｂは、ビーム位置モニタ６Ａにより検出されたビーム走査位置における照射線量を検出するものであり、その検出信号が線量計測装置１１Ｂに出力されて線量値が演算され、その演算データがスキャニング照射制御装置４１に出力されるようになっている。
【００４１】
ビーム位置モニタ６Ａおよび線量モニタ６Ｂはそのときの照射位置への荷電粒子ビームの照射量を計測し、照射線量分布を測定する照射量検出装置を構成する。
【００４２】
図１に戻り、治療用ベッド２９は、スキャニング照射装置１５からイオンビームを照射する前に、ベッド駆動装置（図示せず）によって移動され上記治療ゲージ内に挿入されるとともに、スキャニング照射装置１５に対する照射にあたっての位置決めが行われる。回転胴はガントリーコントローラ（図示せず）によってモータの回転を制御することによって回転され、スキャニング照射装置１５のビーム軸が患者３０の患部を向くようになる。
【００４３】
ビーム経路６２を経て逆Ｕ字状のビーム輸送装置からスキャニング照射装置１５内へ導入されたイオンビームは、走査電磁石（荷電粒子ビーム走査装置）５Ａ，５Ｂによって順次照射位置を走査され、患者３０の患部（例えば癌や腫瘍の発生部位）に照射される。照射されたイオンビームは、患部においてそのエネルギーを放出し、高線量領域を形成する。
【００４４】
次に、本実施の形態の粒子線照射システムが備えている制御システム９０を、図１および図２を用いて説明する。
【００４５】
制御システム９０は、治療計画装置１４０で作成した治療計画データを格納するデータベース１１０と、荷電子粒子ビーム発生装置１およびビーム輸送系４を制御する加速器・輸送系コントローラ４０（以下、加速器コントローラ４０という）、スキャニング照射装置１５を制御するスキャニング照射制御装置４１（以下、スキャニングコントローラ４１という）と、データベース１１０から読み込んだ治療計画データに基づき、加速器コントローラ４０およびスキャニングコントローラ４１をそれぞれ制御する中央制御装置１００とを有する。
【００４６】
データベースに記憶されている患者毎の上記治療計画情報（患者情報）は、特に図示を行わないが、患者ＩＤナンバー、照射量（一回当たり）、照射エネルギー、照射方向、照射位置等のデータを含んでいる。
【００４７】
中央制御装置１００は、例えばキーボードやマウス等の入力装置から入力された患者識別情報に応じて、データベース１１０から、これから治療を行う患者３０に関する上記の治療計画情報を読み込む。この患者別治療計画情報内の照射エネルギー値によって、既に述べた各電磁石への励磁電力供給の制御パターンが決定する。
【００４８】
中央制御装置１００内のメモリには、予め電力供給制御テーブルが記憶されており、照射エネルギーの各種の値（７０，８０，９０，…［Ｍｅｖ］等）に応じて、シンクロトロン１２を含む荷電粒子ビーム発生装置１における四極電磁石１３および偏向電磁石１４、ビーム輸送系４の四極電磁石１８、偏向電磁石１７、四極電磁石２１，２２、偏向電磁石２３，２４に対する供給励磁電力値またはそのパターンが予め設定されている。
【００４９】
また、中央制御装置１００内のＣＰＵでは、上記治療計画情報と上記電力供給制御テーブルとを用いて、これから治療を受けようとする患者に関する荷電粒子ビーム発生装置１や各ビーム経路に配置された電磁石を制御するための制御指令データ（制御指令情報）が作成される。このようにして作成された制御指令データは、スキャニングコントローラ４１および加速器コントローラ４０へ出力される。
【００５０】
本実施の形態の陽子線照射システムでは、治療計画装置１４０により作成した治療計画情報に基づき、中央制御装置１００、スキャニングコントローラ４１、加速器コントローラ４０が互いに連携して制御を行う。これらの制御について説明する。
【００５１】
まず、標的の深さとイオンビーム（荷電粒子ビーム）のエネルギーとの関係を説明する。標的は、患部を含むイオンビームの照射対象領域であり、患部よりもいくらか大きくなる。図３に体内の深さとイオンビームによる線量の関係の例を示す。荷電粒子ビームは、エネルギーを失って止まる際に周囲に極めて大きなエネルギーを付与するため、その到達深度で線量ピークを有する。この線量のピークをブラッグピークと呼ぶ。
【００５２】
標的へのイオンビームの照射はブラッグピークの位置で行われる。ブラッグピークの位置は、イオンビームのエネルギーにより変化する。従って、標的を深さ方向（体内でのイオンビームの進行方向）において複数の層（スライス）に分割し、イオンビームのエネルギーを深さ（各層）に応じて変えることによって、深さ方向に厚みを持つ標的(標的領域)の全域に一様にイオンビームを照射することができる。治療計画装置１４０は、このような観点に基づき、標的領域を深さ方向に分割する層の数を決定する。
【００５３】
図４は、上記のようにして決定した層の一例を表す図である。この例では、患部が最下層より患者３０の体表面に向かって層１，２，３，４の４つの層に分割されている。各層はＸ方向に２０cmＹ方向に１０cmの広がりをもっている例である。図３の線量分布は、図４のＡ−Ａ′断面での深さ方向の線量分布である。
【００５４】
以上のようにして、層数が決定した後、治療計画装置１４０は、各層（標的断面）内で深さ方向と直角方向に分割するスポット（照射位置）数を決定する。
【００５５】
なお、全てのスポットにおいて、１つのスポットを複数回分割照射する場合もあり、各スポットに対する照射線量のばらつきをある範囲内におさえ、標的全域で線量分布がほぼ一様となるよう、各スポットでの照射回数と１回当たりの照射量（目標照射量）が決定する。分割照射の概念は特許文献１（特許３６８１７４４号公報）に詳しい。
【００５６】
上記のようにして計画され、データベース１１０に格納された治療計画情報を、中央制御装置１００が読み出しメモリに格納する。中央制御装置１００のＣＰＵは、メモリに格納した治療計画情報に基づき、イオンビームの照射に関する情報（層数、照射位置の数（スポットの数）、各層内での照射位置、各照射位置での目標照射量（設定照射量）、および各層の全スポットに関する走査電磁石５Ａ，５Ｂの電流値等の情報）を生成し、スキャニングコントローラ４１（第１制御装置）へ送信する。
【００５７】
送信される治療計画情報の一部を図５に示す。層内の各照射位置に対する、照射位置（スポット）のＸ方向位置（Ｘ位置）およびＹ方向位置（Ｙ位置）の情報、および各照射位置での目標照射量（設定線量）、更に層変更フラグ情報が含まれ、照射する順番にスポット番号が割り付けられる。さらに、各スポットには照射中断可能フラグが記載されている（０：照射中断不可、１：照射中断可能）。本実施の形態では、体表面から一番深い層から順に照射が行なわれる。なお、各照射位置での目標照射量（設定線量）は、患部への最初の照射開始を起点とする積算照射量(積算線量)としており、中央制御装置１００は、各照射位置に対して設定された個々の照射量を順次積算することによって、スキャニングコントローラ４１へ送信する目標照射量の情報を生成している。スキャニングコントローラ４１は、これらの治療計画情報をメモリに記憶する。
【００５８】
なお、図５は分割照射をしない場合の例であり、分割照射をする場合は、更に、分割照射の回数だけ、照射位置（スポット）のＸ方向位置（Ｘ位置）およびＹ方向位置（Ｙ位置）および各照射位置での目標照射量（設定線量）の情報が必要であり、図５の治療計画情報にはそれらの情報も含まれる。
【００５９】
更に、中央制御装置１００のＣＰＵは、治療計画情報の内、全ての層に関するシンクロトロン１２の加速パラメータの全てを、加速器コントローラ４０に送信する。ここで送信されるこれらの加速パラメータのデータは、予め複数の加速パターンに分類されている。
【００６０】
次に、本実施の形態においてスポットスキャニング照射を行う際の中央制御装置１００、スキャニングコントローラ４１および加速器コントローラ４０の通常時（中断要因のない時）の各制御を、図６を用いて説明する。図６は、それらの各制御を実行する制御フローの一例を示したものである。
【００６１】
まず、治療室内にある照射開始指示装置（図示なし）が操作されると、それに応じ、中央制御装置１００は、ステップ２０１にて、層番号を表す演算ｉおよびスポット番号を表す演算子ｊを１に初期設定し、それらを加速器コントローラ４０に出力する。
【００６２】
加速器コントローラ４０は、それに応じて初期設定を行い、初期設定完了後に、ステップ２０２にて、メモリに格納した複数パターンの加速パラメータの中から、ｉ番目の層（この時点では、ｉ＝１）に対する加速器パラメータを読み出し設定する。
【００６３】
ステップ２０３にて、これら設定パラメータをシンクロトロン１２およびビーム輸送系４に出力し、各電磁石電源が設定された所定の電流で励磁されるよう電源を制御し、また、高周波加速空胴に高周波電力を印加する高周波電源を制御して、その高周波電力と周波数を所定の値まで増加させる。
【００６４】
以上により、シンクロトロン１２内を周回するイオンビームのエネルギーが治療計画で定められた値まで増大された時点で、加速器コントローラ４０は、ステップ２０４に移行し、中央制御装置１００を経由して、スキャニングコントローラに対し、出射準備指令を出力する。
【００６５】
この出射準備指令を受けて、スキャニングコントローラ４１（第１制御装置）は、ステップ２０５にて、メモリに格納した電流値データ（図５の「Ｘ位置」、「Ｙ位置」の欄に示されたデータ）および目標照射量データ（図５の「目標照射量」の欄に示されたデータ）から、ｊ番目のスポット（この時点ではｊ＝１）の電流値データおよび目標照射量データを読み出して設定する。ここで、スキャニングコントローラ４１は、走査電磁石５Ａ，５Ｂがｊ番目スポットの電流値で励磁されるように該当する電源を制御する。
【００６６】
以上により、当該スポットへの照射準備が完了した後、スキャニングコントローラ４１は、ステップ２０６にて、中央制御装置１００を経由し、加速器コントローラ４０（第３制御装置）に対してビーム出射開始信号を出力する。
【００６７】
これにより、加速器コントローラ４０は、ステップ２０７にて、高周波印加装置９を制御してシンクロトロン１２からイオンビームを出射させる。すなわち、加速器コントローラ４０からのビーム出射開始信号によって、開閉スイッチ９２が閉じられ、高周波が高周波印加電極９３よりイオンビームに印加されるため、イオンビームがシンクロトロン１２から出射される。
【００６８】
走査電磁石５Ａ，５Ｂはｊ番目のスポットの位置にイオンビームが達するように励磁されているため、そのイオンビームは、ステップ２０８にて、スキャニング照射装置１５より該当する層のｊ番目のスポットに照射される。
【００６９】
ｊ番目のスポット（照射位置）はビーム位置モニタ６Ａにより検出され、走査位置計測装置１１Ａにてビーム走査位置が演算され、ｊ番目のスポットへの照射線量は、線量モニタ６Ｂにより検出され、線量計測装置１１Ｂにて線量値が演算され、それらの演算結果がスキャニングコントローラ４１に入力される。
【００７０】
スキャニングコントローラ４１は、ステップ２０９にて、設定された目標照射量と入力された演算結果を比較し、ｊ番目のスポットへの照射線量が目標照射量に達した時点で、ステップ２１０に移行し、中央制御装置１００を経由し、加速器コントローラ４０に対して、ビーム出射停止指令を出力する。
【００７１】
これにより、ステップ２１１にて、加速器コントローラ４０を経由して開閉スイッチ９２が開き、イオンビームの出射が停止される。
【００７２】
以上により、最初のスポットに対する照射が終了すると、ステップ２１２にて層内最終スポットかどうかの判定が行われ、判定が「Ｎｏ」であるため、ステップ２１３に移り、スポット番号に１が加えられる（すなわち、照射位置が次のスポットに移動される）。
【００７３】
そして、ステップ２０５〜２１３の処理が繰り返し行われる。すなわち、１番目の層の全スポットへの照射が終了するまで、走査電磁石５Ａ，５Ｂにより、イオンビームを隣接するスポットへと次々に移動させながら（移動中はイオンビームの照射を停止させつつ）、イオンビームの照射が行われる（スポットスキャニング照射）。
【００７４】
１番目の層の全スポットに対する照射が終了すると、ステップ２１２にて、判定が「Ｙｅｓ」となり、スキャニングコントローラ４１は、中央制御装置１００を経由し、加速器コントローラ４０に対し、層変更指令を出力する。
【００７５】
なお、分割照射を行う場合は、ステップ２１２にて層変更指令を出力する前に、次の処理が行われる。すなわち、スポット番号を表す演算子ｊを１に初期設定し、分割照射の照射回数を表す演算子ｎが予め設定された分割数に達したかどうかを判定し、判定が「Ｎｏ」である場合は、照射回数番号ｎに１が加えられ（すなわち、分割照射が次の照射回数に変更され）、ステップ２０５〜２１３の処理が繰り返し行われ、分割照射の照射回数番号ｎが予め設定された分割数に達した時点で、ステップ２１２にて、加速器コントローラ４０に対し層変更指令を出力する。  
【００７６】
スキャニングコントローラ４１から層変更指令が出力されると、それを受け、加速器コントローラ４０は、ステップ２１４にて、層番号ｉに１を加え（すなわち、照射位置が２番目の層に変更される。）、ステップ２１５にて、シンクロトロン１２へビーム減速指令を出力する。
【００７７】
加速器コントローラ４０は、ビーム減速指令の出力により、シンクロトロン１２の各電磁石の電源を制御して各電磁石の励磁電流を徐々に低減させ、最後には予め決められた値、例えば、次のイオンビーム入射に適した励磁電流にする。これにより、シンクロトロン１２内を周回するイオンビームが減速される。
【００７８】
この時点では、１番目の層に対する照射が終了しただけであり、ステップ２１６の判定が「Ｎｏ」であるため、ステップ２０２に戻り、２番目の層に対して、ステップ２０３〜２１５の処理が繰り返し行われる。
【００７９】
同様に、全ての層に対して、ステップ２０２〜２１５の処理が実行された後、ステップ２１６の判定が「Ｙｅｓ」となり、患者３０の患部における全層内の全スポットへの所定の照射が完了する。これにより、加速器コントローラ４０は、ステップ２１７にて、中央制御装置１００にＣＰＵに対し照射終了信号を出力する。
【００８０】
以上により、患者３０の患部に対する一連の照射処理が終了となる。
【００８１】
次に、本実施の形態において特徴をなす制御処理（スポット集合単位の打ち切り処理）について説明する。
【００８２】
本実施の形態における制御システム９０は、設備および構成機器の異常や加速器内のビーム状態等を監視し、発生した要因の種類やそのレベルにより、照射を中止または中断するためのインターロックを設けている。
【００８３】
また、治療室内に設けられた照射中止指示装置（図示なし）、または照射中断指示装置（図示なし）により操作者の判断により手動で照射中止または、照射中断が可能な構成となっている。
【００８４】
この中でも、本実施の形態は、あるスポットへの照射途中、ないし、次のスポット照射までの合間であっても、照射中断要因が発生した場合のイオンビームの出射停止方法に着目したものである。図７は比較の為に説明する従来システムの制御フローであり、図８は本実施の形態のシステムの制御フローである。両システムとも、通常時は図６で説明した制御フローに基づく処理を実行する。
【００８５】
なお、設備および構成機器の異常や加速器内のビーム状態等による照射中止・中断要因の内、本発明の制御処理が扱う要因は照射中断要因であって、照射継続可能な比較的軽度な要因に限られる。
図７は、従来システムにおいて、あるスポットに対する照射中に照射中断要因が発生した場合の、制御フローを示したものである。
【００８６】
従来システムでは、照射中に照射中断要因が発生した場合、中央処理装置１００は照射中断指令を受け取ると、ステップ４０１にて、はじめに、いずれかのスポットに対する照射中であるかを判定する。この判定は、スキャニングコントローラ４１のステップ２１０におけるビーム出射停止指令の出力有無を確認することで容易に判定すること可能である。
【００８７】
判定の結果が「Ｙｅｓ」の場合（つまり、あるスポットへの照射中に照射中断要因が発生した場合）、中央制御装置１００は、判定が「Ｎｏ」となるまで、以降の照射中断処理を停止する。判定結果が「Ｎｏ」の場合（つまり、あるスポットへの照射中以外に照射中断要因が発生した場合、もしくは、あるスポットへの照射中に照射中断要因発生し、その後、そのスポットに対する照射が終了した場合）、中央制御装置１００は、ステップ４０２に移行し、加速器コントローラ４０およびスキャニングコントローラ４１に対し、それぞれ、ビーム出射停止指令およびビーム照射停止指令を出力する。
【００８８】
これを受けたスキャニングコントローラ４１は、ステップ４０３にて、以降のｊ番目のスポットに対する照射処理を中断する（具体的には、ステップ２１０の処理を実施後、処理を中断する）。
【００８９】
また、加速器コントローラ４０は、ステップ４０４にて、シンクロトロン１２からのビーム出射を停止させ、その後、ステップ４０５に移行し、シンクロトロン１２に対し残ビーム減速指令を出力してシンクロトロン内の残ビームを減速させる。
【００９０】
このように中央処理装置１００（第２制御装置）は、あるスポット（照射位置）への荷電粒子ビームの照射中に、照射を中断しなければならない事象が発生した場合に、ステップ４０１にて、そのスポットへの照射量が目標照射量に達するまでスキャニングコントローラ４１（第１制御装置）の制御を継続し、ステップ４０１〜４０４にて、スポットへの照射量が目標照射量に達した時点でスキャニングコントローラ４１の制御を中断しかつシンクロトロン１２（加速器）からの荷電粒子ビームの出射を停止させる。
【００９１】
中央制御装置１００は、ステップ４０６にて、照射中断要因が解消して復帰状態になったかどうかを判定し、その判定が「Ｙｅｓ」となった後、加速器コントローラ４０は、ステップ４０７にて、シンクロトロン１２に対してビーム加速指令を出力して、再度、各電磁石電源が設定された所定の電流で励磁されるよう電源を制御し、また、高周波加速空胴に高周波電力を印加する高周波電源を制御して、その高周波電力と周波数を所定の値まで増加させる。
【００９２】
これと同時に、加速器コントローラ４０は、スキャニングコントローラ４１に対して復帰指令を出力し、スキャニングコントローラ４１はその復帰指令を受け取ると、ステップ４０８にて、中断していたｊ番目のスポットに対する照射処理を再開する。ただし、この従来システムでは、ｊ番目のスポットへの照射線量は目標照射量に達しているので（ステップ２０９）、このスポットに対する照射処理は直ちに終了させ、ステップ２１２にて、層内最終スポットかどうかの判定が行われ、判定が「Ｎｏ」であれば、ステップ２１３に移り、スポット番号に１が加えられる（すなわち、照射位置が次のスポットに移動される）。そしてステップ２０５，２０６に移り、スキャニング照射装置１５の走査電磁石５Ａ，５Ｂ（荷電粒子ビーム走査装置）を制御することによりスポット（照射位置）を変更させかつこの変更後にシンクロトロン１２（加速器）からの荷電粒子ビームの出射を再開させる。その後は、通常時と同様に各ステップの処理が繰り返し行われ、患者３０の患部に対する一連の照射処理が終了する。
【００９３】
このように中央処理装置１００（第２制御装置）は、ステップ４０２，４０４にて荷電粒子ビームの出射停止後、照射を中断しなければならない事象が解消した場合は、ステップ４０７，４０８にてスキャニングコントローラ４１（第１制御装置）の制御を復帰させ、スキャニングコントローラ４１は、その復帰後に、ステップ２１３，２０５，２０６にて直ちに走査電磁石５Ａ，５Ｂ（荷電粒子ビーム走査装置）を制御することによりスポット（照射位置）を変更させかつこの変更後にシンクロトロン１２（加速器）からの荷電粒子ビームの出射を再開させる。
【００９４】
ところで、従来システムでは、あるスポットの集合に対する照射中に照射中断要因が発生した場合、当該スポットの照射中であれば、そのスポットの照射を完了させた後、ビーム出射（照射）が停止されるため、結果として、１つのスポットの集合に対する照射を途中の段階で強制的に２回以上に分割して行うこととなり、その結果、１つのあるスポットの集合に対して再開後の照射位置のズレ（ズレの要因としては、機器の状態、患者の状態などの微妙なズレが考えられる。）により、照射分布に乱れが生じる可能性がある。
【００９５】
本実施の形態における特徴は、あるスポットの集合への照射途中に照射中断要因が発生した場合に、ビーム出射(照射)を停止させず、そのスポットの集合のスポット全てを照射した後にビーム出射（照射）を停止させるように制御することで、照射がスポットの集合について途中の段階で終了することを回避する点にある。
【００９６】
次に、本実施の形態において、あるスポットの集合に対する照射中に照射中断要因が発生した場合の制御システムの動作について説明する。図８は、あるスポットに対する照射中に照射中断要因が発生した場合の、本実施の形態における制御フローを示したものである。
【００９７】
本実施の形態では、照射中に照射中断要因が発生した場合、中央処理装置１００は照射中断指令を受け取ると、ステップ５０１ａにて、はじめに、いずれかのスポットに対する照射中であるかを判定する。この判定は、スキャニングコントローラ４１のステップ２１０におけるビーム出射停止指令が出力有無を確認することで容易に判定すること可能である。ステップ５０１ａの判定の結果が「Ｎｏ」の場合（つまり、照射中でない場合）、ステップ５０１で図５の照射中断可能フラグの情報により、照射中断可能スポットの判断を実施する。ステップ５０１ａの判定の結果が「ＹＥＳ」の場合（つまり、照射中の場合）、中央制御装置１００は、「Ｎｏ」判定となるまで、以降の照射中断処理を実行しない。
【００９８】
ステップ５０１の判定の結果が「Ｎｏ」の場合（つまり、中断可能なスポットでない場合）、中央制御装置１００は、「Ｙｅｓ」判定がとなるまで、以降の照射中断処理を実行せず、ステップ２１３に移り、スキャニングコントローラ４１によりスポット番号に１が加えられる（すなわち、照射位置が次のスポットに移動される）。判定結果が「Ｙｅｓ」の場合（照射中断可能なスポットでの当該スポットの照射が完了した場合、つまり、スポットの集合のスポット全てを照射した場合）、中央制御装置１００は、ステップ５０２に移行し、加速器コントローラ４０およびスキャニングコントローラ４１に対し、それぞれ、ビーム出射停止指令およびビーム照射停止指令を出力する。
【００９９】
これを受けたスキャニングコントローラ４１は、ステップ５０３にて、以降のｊ番目のスポットに対する照射処理を中断する（具体的には、ステップ２１０の処理を実施後、処理を中断する）。
【０１００】
また、加速器コントローラ４０は、ステップ５０４にて、シンクロトロン１２からのビーム出射を停止させ、その後、ステップ５０５に移行し、シンクロトロン１２に対し残ビーム減速指令を出力してシンクロトロン内の残ビームを減速させる。
【０１０１】
このように中央処理装置１００（第２制御装置）は、あるスポット（照射位置）が含まれるあるスポットの集合の途中で、照射を中断しなければならない事象が発生した場合に、ステップ５０１にて、あるスポットの集合のスポット全部について目標照射量に達するまでスキャニングコントローラ４１（第１制御装置）の制御を継続し、ステップ５０１〜５０４にて、スキャニングコントローラ４１の制御を中断しかつシンクロトロン１２（加速器）からの荷電粒子ビームの出射を停止させる。
【０１０２】
中央制御装置１００は、ステップ５０６にて、照射中断要因が解消して復帰状態になったかどうかを判定し、その判定が「Ｙｅｓ」となった後、加速器コントローラ４０は、ステップ５０７にて、シンクロトロン１２に対してビーム加速指令を出力して、再度、各電磁石電源が設定された所定の電流で励磁されるよう電源を制御し、また、高周波加速空胴に高周波電力を印加する高周波電源を制御して、その高周波電力と周波数を所定の値まで増加させる。
【０１０３】
これと同時に、加速器コントローラ４０は、スキャニングコントローラ４１に対して復帰指令を出力し、スキャニングコントローラ４１はその復帰指令を受け取ると、ステップ５０８にて、中断していたｊ番目のスポットに対する照射処理を再開する。ただし、本実施の形態では、ｊ番目のスポットにへの照射線量は目標照射量に達しているので（ステップ２０９）、このスポットに対する照射処理は直ちに終了させ、ステップ２１２にて、層内最終スポットかどうかの判定が行われ、判定が「Ｎｏ」であれば、ステップ２１３に移り、スポット番号に１が加えられる（すなわち、照射位置が次のスポットに移動される）。そしてステップ２０５，２０６に移り、スキャニング照射装置１５の走査電磁石５Ａ，５Ｂ（荷電粒子ビーム走査装置）を制御することによりスポット（照射位置）を変更させかつこの変更後にシンクロトロン１２（加速器）からの荷電粒子ビームの出射を再開させる。その後は、通常時同様に各ステップの処理が繰り返し行われ、患者３０の患部に対する一連の照射処理が終了する。
【０１０４】
このように中央処理装置１００（第２制御装置）は、ステップ５０２，５０４にて荷電粒子ビームの出射停止後、照射を中断しなければならない事象が解消した場合は、ステップ５０７，５０８にてスキャニングコントローラ４１（第１制御装置）の制御を復帰させ、スキャニングコントローラ４１は、その復帰後に、ステップ２１３，２０５，２０６にて直ちに走査電磁石５Ａ，５Ｂ（荷電粒子ビーム走査装置）を制御することによりスポット（照射位置）を変更させかつこの変更後にシンクロトロン１２（加速器）からの荷電粒子ビームの出射を再開させる。
【０１０５】
図９および図１０は、従来のシステムおよび本実施の形態のあるエネルギーにおけるシンクロトロン１２内のイオンビームの制御パターンと、スポットに対する照射の関係を示した例である。照射中断要因発生時、従来システムでは、当該スポットの照射を完了次第、出射（照射）を停止し、即減速動作へ移行するのに対し、本実施の形態では、照射中断要因発生時、当該スポットが含まれるスポットの集合全体の照射が完了した時点で、出射（照射）を停止し、減速動作へ移行する）。
【０１０６】
以上ように、照射中断要因が発生した際の処理として、中央制御装置１００内に図８に示す新たな判定処理（図５の制御フラグを追加し、照射中断可能なスポットかどうかの判断処理）を追加し、中央制御装置１００、加速器コントローラ４０、およびスキャニングコントローラ４１が連携して動作することで、スキャニング方式による照射において、あるスポットに対する照射中に照射中断要因が発生した場合に、当該スポットの照射を完了次第、ビーム出射(照射)を停止させず、そのスポットを含むスポットの集合全体に対する照射が完了した時点で停止させることが可能となる。これにより、あるスポットの集合の途中のスポットで照射が終了することを回避することができる。
【０１０７】
なお、本実施の形態は、粒子線治療システムにおいて、照射中断事象が発生した際の処理に関するものであり、照射中止事象が発生した場合は、安全の観点から、従来システム同様、直ちに、出射（照射）を停止し、一連の照射処理が中止される。
【０１０８】
以上のように構成した本実施の形態の粒子線照射システムは、以下のような効果を得る。
【０１０９】
通常、照射線量の分布は、１つのスポットの線量だけでなく、あるスポットの集合について評価するものであり、あるスポットの集合の途中のスポットで、照射を中断させて、その中断要因がなくなり、照射をそのスポットの集合の途中のスポットから再開させた場合、機器の状態、患者の状態により、スポットの位置のズレが生じ、線量分布に乱れが生じる。
【０１１０】
図１１は、あるスポットの集合に対する照射の途中で、中断、再開した場合の位置ズレによる線量分布への影響を示したものである。例えば、図１１(a)のような、Ｎｏ．２〜３０スポットの集合に対する線量分布を得たい場合、その分布のスポットの集合の途中（Ｎｏ．１４スポット照射完了後）で照射を中断し、再開後の位置のズレで、１スポット分空いてスポット照射を再開した場合は、図１１(b)のようにＮｏ．１５スポットに照射されず、Ｎｏ．３１スポットに誤照射される。逆に、１スポット分詰めてスポット照射を再開した場合は、図１１(c)のようにＮｏ．１４スポットに重複照射され、Ｎｏ．３０スポットに照射されない。
【０１１１】
これに対し、本実施の形態では、あるスポット（Ｎｏ．１４）に対する照射中に、照射中断要因（照射継続可能な比較的軽度な異常）が発生した場合に関して、当該スポットの照射完了後で照射を停止するのではなく、当該スポットを含む、あるスポットの集合（Ｎｏ．２〜３０スポット）の全スポットに対し、照射を行う。その結果、図１１（ａ)に示す計画線量分布が得られる。このように、スポットの集合として管理したほうがよい場合には、スポット毎の単位で照射を中断するのではなく、スポットの集合の単位で照射を中断することにより、照射線量の分布の乱れをなくし、精度よい照射が可能となる。
【０１１２】
本実施の形態の適用が好ましいスポットの集合の実施例を説明する。本実施の形態では、スポットの集合をどの様に予め定義するかが重要である。
【０１１３】
第１実施例は、同一層のなかで、スポットの集合が分離している例である。図１２は、第１実施例におけるスポットの集合を説明する図である。図１２（ａ）に示すように患部形状によっては、同一層であっても患部が分離することもある。この場合、それぞれをスポットの集合として管理したほうがよい。
【０１１４】
一方、照射の中断要因として、異常発生のほかに呼吸同期制御のゲート信号がOFFとなる場合がある。呼吸同期制御では、呼吸位相に合わせて、ゲート信号がONのとき照射し、ゲート信号がＯＦＦのとき照射を停止する。これにより呼吸によるスポットの位置のズレを防止し、安定的な照射ができる。
【０１１５】
しかし、照射線量の分布は、１つのスポットの線量だけでなく、あるスポットの集合について評価するものである。呼吸同期制御を優先的に一律に適用し、ゲート信号がＯＦＦのとき照射を中断させて、その後照射を再開させると、逆にスポットの位置のズレが生じ、線量分布に乱れが生じる場合もある。
【０１１６】
図１２（ｂ）は、ゲート信号がＯＦＦのとき照射を中断し、その後再開する動作を説明する図である。黒丸は、ゲート信号がONのとき照射したスポットであり、白丸は、ゲート信号がＯＦＦのとき照射を中断し、その後ゲート信号がONのとき照射を再開したスポットである。１つのスポットの集合に対する照射を途中の段階で強制的に２回に分割して行うこととなり、その結果、再開後の照射位置のズレにより、照射線量分布に乱れが生じる可能性がある。
【０１１７】
図１２（ｃ）は、本実施の形態における動作を説明する図である。本実施の形態では、スポットの集合として管理したほうがよい場合には、スポットの集合の全スポットについて予定の照射を完了することを優先する。すなわち、ゲート信号がＯＦＦのときも照射を継続する。
【０１１８】
これにより、スポットの集合の単位で照射を中断することにより、照射線量の分布の乱れをなくし、精度よい照射が可能となる。このように、本実施の形態は、スポットスキャニングの呼吸同期制御と組み合わせて用いるのに適している。
【０１１９】
第２実施例は、１スピルで照射可能なスポット数を演算し、スポットの集合として管理する例である。シンクロトロン１２のパルス運転の1パルスで照射できる単位である。治療計画装置１４０により各スポットの目標照射量が演算され、１スピルで打ちきれるスポット数も演算される。このスポットの集合を１単位として管理する。安全性に問題がない場合や、異常が軽度なことが確実な場合は、異常が発生した場合でも、そのスポットの集合に対する照射を継続する。
【０１２０】
上述した呼吸同期制御を適用する場合は、治療計画装置１４０によりゲート信号がＯＮのとき照射可能なスポット数を演算し、このスポットの集合を１単位として管理してもよい。
【０１２１】
第３実施例は、スポットの集合に重なりを持たせる例である。特許文献１のスキャニング方式の粒子線照射システムにおいては、照射対象をいくつかのスポット（照射位置）の集合に分割することや、分割照射をするための照射回数と１回当たりの照射量を事前に設定し、１つのスポットに対する照射を複数回に分割して行うことで、各スポットに対する１回の照射量（照射時間）を小さくし、ばらつきを抑え、より正確に実際の照射線量の検出および評価（線量分布等の評価）を行うことができるよう工夫がされている。
【０１２２】
しかし、全スポットについて１つのスポットに対する照射を複数回に分割して行うことは、治療時間の長期化につながり、システム運用の面で効率的でないという問題があった。
【０１２３】
上記問題に対し、スポットの集合に重なりを持たせる照射手法が提案されている。図１３は、第３実施例におけるスポットの集合を説明する図である。
【０１２４】
例えば、図１３(a)上段のような、Ｎｏ．２〜３５スポットの集合に対する線量分布を得ることを計画する。このとき、Ｎｏ．２〜２３スポットの集合を第１集合とし、Ｎｏ．１５〜３５スポットの集合を第２集合として管理する。第１集合は、第２〜９スポットまで線量が単調増加し、第９〜１４スポットまで線量は一定値であり、第１４〜２３スポットまで線量が単調減少し、図示台形形状となるように設定されている。第２集合は、第１５〜２４スポットまで線量が単調増加し、第２４〜２８スポットまで線量は一定値であり、第２８〜３５スポットまで線量が単調減少し、図示台形形状となるように設定されている。さらに、第１集合と第２集合に対し、Ｎｏ．１５〜２３スポットにおいて重なりを持たせている。第１集合と第２集合に対し、それぞれ図１３（ａ)下段のような線量分布を得るように照射する。その結果、図１３(ａ)上段のように計画した線量分布を得ることができる。
【０１２５】
これにより、全スポットについて１つのスポットに対する照射を複数回に分割して行うことをせずに、第１集合と第２集合をそれぞれスポットの集合の１単位として管理し照射するため、治療時間の短縮化につながり、システム運用の面で効率的となる。
【０１２６】
本実施の形態を、第３実施例に適用したときの効果について説明する。本実施の形態では、第１集合と第２集合をそれぞれスポットの集合の１単位として管理し、スポットの集合の全スポットについて予定の照射を完了することを優先する。すなわち、第１集合のスポットへの照射中に比較的軽度な異常が発生した場合でも、第１集合に対する照射を継続する。第１集合（Ｎｏ．２〜２３スポット）に対する照射が完了した後、照射を停止し、照射中断事象が解消すると、第２集合（Ｎｏ．１５〜３５スポット）の先頭から照射を再開する。第２集合のスポットへの照射中に比較的軽度な異常が発生した場合でも、同様に第２集合に対する照射を継続する。
【０１２７】
図１３(ｂ)上段は、中断、再開時に位置ズレが生じ、１スポット分前にずれた場合を説明する図であり、図１３(ｂ)下段は、本実施の形態の効果を説明する図である。第１集合（Ｎｏ．２〜２３スポット）への照射は計画通りできたが、第２集合（Ｎｏ．１５〜３５スポット）へ照射すべきところを、位置ズレが生じて１スポット分前にずれて、Ｎｏ．１４〜３４スポットに照射したとする。しかし、第１集合と第２集合とを合わせたスポットの集合について評価すると、図１３(ｂ)下段のようになり、図１３(ａ)上段の計画線量分布と比較すると、Ｎｏ．３５スポットに照射されず、Ｎｏ．１４〜２３スポットにおいてやや多目に照射されているだけであり、位置ズレの影響が少ないのがわかる。
【０１２８】
図１３(ｃ)上段は、中断、再開時に位置ズレが生じ、１スポット分後にずれた場合を説明する図であり、図１３(ｃ)下段は、本実施の形態の効果を説明する図である。第１集合（Ｎｏ．２〜２３スポット）への照射は計画通りできたが、第２集合（Ｎｏ．１５〜３５スポット）へ照射すべきところを、位置ズレが生じて１スポット分前にずれて、Ｎｏ．１６〜３６スポットに照射したとする。しかし、第１集合と第２集合とを合わせたスポットの集合について評価すると、図１３(ｃ)下段のようになり、図１３(ａ)上段の計画線量分布と比較すると、Ｎｏ．３６スポットに誤照射され、Ｎｏ．１５〜２４スポットにおいてやや少な目に照射されているだけであり、位置ズレの影響が少ないのがわかる。
【０１２９】
これにより、システム運用の面で効率化を図りつつ、スポットの集合の単位で照射を中断することにより、照射線量の分布の乱れをなくし、精度よい照射が可能となる。このように、本実施の形態は、第３実施例に示した照射手法と組み合わせて用いるのに適している。
【０１３０】
ただし、本実施の形態は、異常発生時においても、発生した要因の種類、レベルにより、照射継続を可能とするものであり、患者ならびに操作者の安全の観点から、照射継続可能な要因の種類、レベルの選定が非常に重要となる。
【０１３１】
なお、以上に述べたスポットスキャニングによるイオンビーム照射は、加速器としてサイクロトロンを用いた陽子線照射システムに適用することが可能である。
【符号の説明】
【０１３２】
１…荷電粒子ビーム発生装置
４…ビーム輸送系
５Ａ，５Ｂ…走査電磁石（荷電粒子ビーム走査装置）
６Ａ…走査位置モニタ（照射量検出装置）
６Ｂ…線量モニタ（照射量検出装置）
７Ａ…走査電磁石電源（Ｘ方向）
７Ｂ…走査電磁石電源（Ｙ方向）
８…走査電磁石電源制御装置
９…高周波印加装置
１１Ａ、１１Ｂ…走査位置計測装置
１２…シンクロトロン（加速器）
１５…スキャニング照射装置
４０…加速器・輸送系コントローラ
４１…スキャニングコントローラ（第１制御装置）
４２…電源制御装置
９０…制御システム（制御装置）
９１…高周波電源
９２…開閉スイッチ
９３…高周波印加電極
１００…中央制御装置（第２制御装置）
１４０…治療計画装置
【図１】
2011072537.tif 000003
【図２】
2011072537.tif 000004
【図３】
2011072537.tif 000005
【図４】
2011072537.tif 000006
【図５】
2011072537.tif 000007
【図６】
2011072537.tif 000008
【図７】
2011072537.tif 000009
【図８】
2011072537.tif 000010
【図９】
2011072537.tif 000011
【図１０】
2011072537.tif 000012
【図１１】
2011072537.tif 000013
【図１２】
2011072537.tif 000014
【図１３】
2011072537.tif 000015